(57)【特許請求の範囲】
【請求項１】
浴槽と洗い場とが互いに並べて設置され周囲を壁面で囲まれてなる浴室であって、
前記浴槽と、前記浴槽の側面と対向する第１の壁面と、の間において、前記第１の壁面と隣接して設けられ前記浴槽の短辺と接する第２の壁面の前記洗い場の側に沿うように配置された腰掛部と、
前記浴槽の前記洗い場の側のリムの上面において前記腰掛部の上面と同じ高さの位置に設置され、前記腰掛部に腰掛けた状態の使用者により使用可能とされたシャワー水栓用の操作部と、
前記リムの上方であって前記腰掛部の前記洗い場の側の端部よりも前記リムの長手方向の中央に寄った位置に設置された手摺と、
を備えたことを特徴とする浴室。
【請求項２】
前記リムの上方であって前記手摺が設置された位置または前記手摺が設置された位置よりも前記腰掛部に寄った位置に設置されたシャワーヘッドをさらに備え、
前記操作部は、前記手摺が設置された位置よりも前記腰掛部に寄った位置に設置されたことを特徴とする請求項１記載の浴室。
【請求項３】
前記手摺は、シャワーホースを挿通可能な中空部を内部に有する中空管とされてなり、前記シャワーヘッドを保持可能なシャワーフックを有することを特徴とする請求項２記載の浴室。
【請求項４】
前記シャワーヘッドは、前記シャワーフックに保持された状態で前記腰掛部の側へ向けて吐水可能であることを特徴とする請求項３記載の浴室。
【請求項５】
前記洗い場は、前記洗い場の周囲において前記洗い場と一体成形され前記リムと同じ高さの複数の床壁面を有し、
前記浴槽は、前記複数の床壁面の少なくとも一面に沿って設置されたことを特徴とする請求項１または２に記載の浴室。
【発明の詳細な説明】
【技術分野】
【０００１】
本発明の態様は、一般的に、浴室に関する。
【背景技術】
【０００２】
浴室の使用者は、洗い場と浴槽との間を移動する際に、あるいは洗い場や浴槽内で座っている状態から立ち上がる際に、浴室や浴槽に設けられた手摺を利用することが多い。しかし、一般的な浴室では、浴室の壁面や浴槽の内部に手摺が設置されているため、複数の箇所に手摺を設置する必要がある。そのため、コストアップにつながったり、浴室内が雑然とした感じになるという問題がある。また、手摺が浴室の壁面に設置されている場合には、壁面の掃除が煩雑となったり、壁面の掃除を行い難いという問題がある。
【０００３】
これに対して、浴槽の長手方向の中央部に上下に延びる縦手摺が配置された浴室がある（特許文献１）。また、浴室の洗い場に洗い場の床から細長く起立する形態のタワー式水栓装置が設置された浴室内設備がある（特許文献２）。特許文献２に記載されたタワー式水栓装置におけるタワー本体は、少なくとも一部が手摺りとして構成してある。
【０００４】
しかし、特許文献１には、シャワーについての開示がない。また、カウンタに着座する使用者の後側（背中側）に水栓が設けられているため、使用者がカウンタに着座した状態で水栓を使用し洗髪や身体洗浄を行うことは困難である。また、特許文献２に記載された浴室内設備では、手摺りが洗い場の中央に設置されている。そのため、浴槽と手摺りとの距離が遠く、手摺りが洗い場と浴槽との間の移動行為の補助とはならない。
【先行技術文献】
【特許文献】
【０００５】
【特許文献１】特開２００１−２９２９２３号公報
【特許文献２】特開２００２−５８６０９号公報
【発明の概要】
【発明が解決しようとする課題】
【０００６】
本発明は、かかる課題の認識に基づいてなされたものであり、１本の手摺だけで手摺を用いる様々なシーンに対応可能な手摺を備えた浴室を提供することを目的とする。
【課題を解決するための手段】
【０００７】
第１の発明は、浴槽と洗い場とが互いに並べて設置され周囲を壁面で囲まれてなる浴室であって、前記浴槽と、前記浴槽の側面と対向する第１の壁面と、の間において、前記第１の壁面と隣接して設けられ前記浴槽の短辺と接する第２の壁面の前記洗い場の側に沿うように配置された腰掛部と、前記浴槽の前記洗い場の側のリムの上面において前記腰掛部の上面と同じ高さの位置に設置され、前記腰掛部に腰掛けた状態の使用者により使用可能とされたシャワー水栓用の操作部と、前記リムの上方であって前記腰掛部の前記洗い場の側の端部よりも前記リムの長手方向の中央に寄った位置に設置された手摺と、を備えたことを特徴とする浴室である。
【０００８】
この浴室によれば、使用者は、腰掛部に腰掛けた状態で洗髪や身体洗浄を行うことができる。そのため、例えば高齢者等は、立ったり座ったりの動作を繰り返す必要がなく、楽に洗髪や身体洗浄を行うことができる。また、使用者は、腰掛部と浴槽との間を移動する際に、あるいは洗い場と浴槽との間を移動する際に、手摺を利用することができる。このように、使用者は、様々なシーンにおいて手摺を手摺として利用することができる。そのため、異なる動作ごとに手摺を設置する必要がなく、コスト低減を図るとともにより高い安全性を確保することができる。また、手摺が浴槽の洗い場の側のリムの上方に設置されているため、使用者は、洗い場を広く使うことができる。
【０００９】
また、第２の発明は、第１の発明において、前記リムの上方であって前記手摺が設置された位置または前記手摺が設置された位置よりも前記腰掛部に寄った位置に設置されたシャワーヘッドをさらに備え、前記操作部は、前記手摺が設置された位置よりも前記腰掛部に寄った位置に設置されたことを特徴とする浴室である。
【００１０】
この浴室によれば、腰掛部と手摺との間に、シャワーヘッドおよび操作部が設けられている。そのため、腰掛部に腰掛けた使用者は、無理な姿勢をとることなくシャワーを利用することができる。これにより、利便性の高い浴室を提供することができる。また、浴槽のリムの下方の空間を利用して、シャワーヘッドに水を供給する水栓装置を収納することができる。
【００１１】
また、第３の発明は、第２の発明において、前記手摺は、シャワーホースを挿通可能な中空部を内部に有する中空管とされてなり、前記シャワーヘッドを保持可能なシャワーフックを有することを特徴とする浴室である。
【００１２】
この浴室によれば、使用者は、手摺をシャワー装置として使用することができる。また、シャワーホースは、中空管の中に収納されている。そのため、使用者が手摺を使用するときに、シャワーホースが邪魔になることを抑えることができる。
【００１３】
また、第４の発明は、第３の発明において、前記シャワーヘッドは、前記シャワーフックに保持された状態で前記腰掛部の側へ向けて吐水可能であることを特徴とする浴室である。
【００１４】
この浴室によれば、使用者は、腰掛部に腰掛けた状態でシャワー浴を楽しむことができる。また、使用者は、シャワーヘッドを手で持つ必要はないため、楽な姿勢で比較的長時間シャワー浴を楽しむことができる。
【００１５】
また、第５の発明は、第１または第２の発明において、前記洗い場は、前記洗い場の周囲において前記洗い場と一体成形され前記リムと同じ高さの複数の床壁面を有し、前記浴槽は、前記複数の床壁面の少なくとも一面に沿って設置されたことを特徴とする浴室である。
【００１６】
この浴室によれば、浴室の壁を従来工法で仕上げることができる。そして、多様なデザインの壁とすることができる。この場合、手摺は浴槽リムから上方へ立ち上がっているため、壁に穴を開ける必要はない。
【発明の効果】
【００１７】
本発明の態様によれば、１本の手摺だけで手摺を用いる様々なシーンに対応可能な手摺を備えた浴室が提供される。
【図面の簡単な説明】
【００１８】
【図１】本発明の実施の形態にかかる浴室を表す斜視模式図である。
【図２】本実施形態の手摺およびシャワーヘッドを表す拡大模式図である。
【図３】本実施形態の手摺が使用される状態を説明する斜視模式図である。
【図４】本実施形態のシャワーヘッドから吐水された水の軌跡の例を例示する斜視模式図である。
【図５】本実施形態にかかる浴室を斜め上方から眺めた斜視模式図である。
【図６】本実施形態にかかる浴室を表す断面模式図である。
【図７】本実施形態にかかる浴室を表す断面模式図である。
【図８】本実施形態にかかる浴室を表す断面模式図である。
【図９】本実施形態にかかる浴室を表す断面模式図である。
【図１０】シャワーホースが開口部から繰り出した状態を例示する斜視模式図である。
【図１１】本実施形態の洗い場および浴槽の具体例を例示する斜視模式図である。
【図１２】本実施形態にかかる浴室の具体例を例示する斜視模式図である。
【発明を実施するための形態】
【００１９】
以下、本発明の実施の形態について図面を参照しつつ説明する。なお、各図面中、同様の構成要素には同一の符号を付して詳細な説明は適宜省略する。  
図１は、本発明の実施の形態にかかる浴室を表す斜視模式図である。  
また、図２は、本実施形態の手摺およびシャワーヘッドを表す拡大模式図である。  
また、図３は、本実施形態の手摺が使用される状態を説明する斜視模式図である。
【００２０】
本実施形態にかかる浴室１０は、浴槽１１０と、洗い場２１０と、第１の壁面４１０と、第２の壁面４２０と、第３の壁面４３０と、天井４４０と、を備える。浴槽１１０と洗い場２１０とは、互いに並べて設置されている。洗い場２１０と浴槽１１０との間には、エプロン１５０が設けられている。エプロン１５０は、浴槽１１０の側面を覆っている。つまり、エプロン１５０は、洗い場２１０と浴槽１１０との間に形成される開口を塞ぐように取り付けられている。
【００２１】
図２に表したように、浴槽１１０は、第１のリム１１１と、第２のリム１１２と、第３のリム１１３と、を有する。第１のリム１１１は、洗い場２１０の側に形成されている。第３のリム１１３は、洗い場２１０の側とは反対の側に形成されている。第２のリム１１２は、第１のリム１１１および第３のリム１１３に隣接し、第２の壁面４２０の側に形成されている。
【００２２】
第１の壁面４１０と、第２の壁面４２０と、第３の壁面４３０と、は、浴槽１１０および洗い場２１０の周囲に設置されている。具体的には、第１の壁面４１０は、浴槽１１０の洗い場２１０の側の側面と対向して設置されている。言い換えれば、第１の壁面４１０は、エプロン１５０と対向して設置されている。第３の壁面４３０は、第１の壁面４１０と対向して設置されている。第２の壁面４２０は、第１の壁面４１０および第３の壁面４３０と隣接し、浴槽１１０の第２のリム１１２に沿って設置されている。第２の壁面４２０は、浴槽１１０の短辺側リム（本実施形態では第２のリム１１２）と接している。
【００２３】
本実施形態では、洗い場２１０と一体成形された第１の床壁面２１１（図１１（ａ）参照）、第２の床壁面２１２（図１１（ａ）参照）、および第３の床壁面２１３（図１１（ａ）参照）が洗い場２１０の周囲に設けられている。すなわち、本実施形態では、第１の壁面４１０は、第１の床壁面２１１と、第１の床壁面２１１の上に立設された第１の浴室壁面４１１と、を有する。第２の壁面４２０は、第２の床壁面２１２と、第２の床壁面２１２の上に立設された第２の浴室壁面４２１と、を有する。但し、第１の壁面４１０および第２の壁面４２０の設置形態は、これだけに限定されるわけではない。例えば、第１の床壁面２１１、第２の床壁面２１２、および第３の床壁面２１３が設けられず、第１の壁面４１０（第１の浴室壁面４１１）および第２の壁面４２０（第２の浴室壁面４２１）が洗い場２１０の周縁部から上方へ立設されていてもよい。第１の床壁面２１１、第２の床壁面２１２、および第３の床壁面２１３については、後に詳述する。
【００２４】
また、第１のリム１１１の上方には、上下方向に立設された手摺３１０が設置されている。ここで、本願明細書においては、洗い場２１０に立ったあるいは座った使用者からみて上方を「上方」とし、洗い場２１０に立ったあるいは座った使用者からみて下方を「下方」とする。具体的には、手摺３１０の下端部は、第１のリム１１１の上面に接続され固定されている。一方、手摺３１０の上端部は、浴室１０の天井４４０に接続され固定されている。但し、手摺３１０の下端部は、第１のリム１１１の上面に固定されていることだけに限定されず、例えば第２の壁面４２０やエプロン１５０の裏側（洗い場２１０とは反対の側）に設けられた図示しない部材などに固定されていてもよい。
【００２５】
図１および図２に表したように、手摺３１０は、例えば縦長の柱形状を呈し、第１のリム１１１の上方において上下方向に延在している。なお、本願明細書において「上下方向」という範囲には、鉛直方向だけに限定されず、第１のリム１１１の上方において立設可能あるいは延在可能な程度の方向が含まれるものとする。
【００２６】
手摺３１０の途中すなわち手摺３１０の下端部と上端部との間には、第１のシャワーフック３２０が設けられている。図２に表したように、第１のシャワーフック３２０は、シャワーヘッド３３０を保持することができる。第１のシャワーフック３２０は、手摺３１０が途中で上下方向に対して横方向へ分岐した分岐部を有する。手摺３１０の外形の太さ（例えば外径）Ｄ１は、手摺３１０が分岐された部分（分岐部）すなわち第１のシャワーフック３２０がシャワーヘッド３３０を保持する部分の外形の太さ（例えば外径）Ｄ２と略同一である。また、手摺３１０の分岐部の外形の太さ（例えば外径）Ｄ２は、シャワーヘッド３３０の外形の太さ（例えば外径）Ｄ３と略同一である。このように、手摺３１０の外形の太さＤ１と、手摺３１０の分岐部の外形の太さＤ２と、シャワーヘッド３３０の外形の太さＤ３と、を略同一とすることで、本実施形態にかかる浴室１０のデザイン性を向上させることができる。
【００２７】
手摺３１０は、使用者が手で握ることができる太さＤ１を有する。手摺３１０を長手方向（延在方向）にみたときの断面形状は、例えば円形状や多角形状である。手摺３１０を長手方向にみたときの断面形状が円形状である場合には、手摺３１０の外径Ｄ１は、例えば約３０〜３２ミリメートル（ｍｍ）程度である。
【００２８】
図３（ａ）および図３（ｂ）に表したように、使用者は、腰掛部２５０に腰掛けた状態で手摺３１０を把持することができる。図３（ａ）および図３（ｂ）に表した状態では、使用者は、第１のシャワーフック３２０よりも上方の手摺３１０の部分を把持している。但し、これだけに限定されず、使用者は、第１のシャワーフック３２０よりも下方の手摺３１０の部分を把持することができる。
【００２９】
図１に表したように、第１のシャワーフック３２０よりも上方の手摺３１０には、第２のシャワーフック３４０が設けられている。第２のシャワーフック３４０は、第１のシャワーフック３２０と同様にシャワーヘッド３３０を保持することができ、手摺３１０に沿って上下方向に移動することができる。
【００３０】
また、図１に表したように、浴槽１１０と第１の壁面４１０との間において、第２の壁面４２０の洗い場２１０の側に沿うように腰掛部（カウンタ）２５０が設けられている。使用者は、腰掛部２５０に腰掛けることができる。腰掛部２５０には、第１の支柱２６１と、第２の支柱２６３と、が取り付けられている。第１の支柱２６１および第２の支柱２６３は、例えば金属管などにより形成されている。第１の支柱２６１および第２の支柱２６３のそれぞれの一端部は、エプロン１５０の裏側において図示しない支持部材に固定されている。一方、第１の支柱２６１および第２の支柱２６３のそれぞれの他端部は、第１の壁面４１０に固定されている。これにより、腰掛部２５０は、洗い場２１０の上方に設けられている。そして、腰掛部２５０の上面は、浴槽１１０の第１のリム１１１、第２のリム１１２、および第３のリム１１３の上面と略同じ高さの位置に設けられている。
【００３１】
図２に表したように、第１のリム１１１の上面には、シャワー水栓用の操作部５１０が設置されている。操作部５１０は、給水量調整操作部５１１と、温度調整操作部５１３と、を有する。前述したように、腰掛部２５０の上面は、浴槽１１０の第１のリム１１１の上面と略同じ高さの位置に設けられている。そのため、操作部５１０は、腰掛部２５０と略同じ高さの位置に設けられている。そして、使用者は、腰掛部２５０に腰掛けた状態で操作部５１０を操作（使用）することができる。
【００３２】
具体的には、手摺３１０は、腰掛部２５０の洗い場２１０の側の端部２５０ａよりも第１のリム１１１の長手方向（延在方向）の中央に寄った位置に設けられている。シャワーヘッド３３０は、手摺３１０が設置された位置または手摺３１０が設置された位置よりも腰掛部２５０に寄った位置に設けられている。操作部５１０は、手摺３１０が設置された位置よりも腰掛部２５０に寄った位置に設けられている。
【００３３】
図１に表したように、天井４４０には、オーバーヘッドシャワー３９０が設けられている。オーバーヘッドシャワー３９０は、洗い場２１０にいる使用者の頭上から水を吐水することができる。例えば、使用者は、給水量調整操作部５１１を一方へ回転させることでシャワーヘッド３３０から水を吐水させることができ、給水量調整操作部５１１を他方へ回転させることでオーバーヘッドシャワー３９０から水を吐水させることができる。
【００３４】
本実施形態によれば、使用者は、腰掛部２５０に腰掛けた状態で洗髪や身体洗浄を行うことができる。そのため、例えば高齢者等は、立ったり座ったりの動作を繰り返す必要がなく、楽に洗髪や身体洗浄を行うことができる。また、使用者は、腰掛部２５０と浴槽１１０との間を移動する際に、あるいは洗い場２１０と浴槽１１０との間を移動する際に、手摺３１０を利用することができる。このように、使用者は、様々なシーンにおいて手摺３１０を手摺として利用することができる。そのため、異なる動作ごとに手摺を設置する必要がなく、コスト低減を図るとともにより高い安全性を確保することができる。また、手摺３１０が第１のリム１１１の上方に立設されているため、使用者は、洗い場２１０を広く使うことができる。
【００３５】
さらに、本実施形態によれば腰掛部２５０と手摺３１０とのあいだに、シャワーヘッド３３０および操作部５１０が設けられている。そのため、腰掛部２５０に腰掛けた使用者は、無理な姿勢をとることなくシャワーを利用することができる。これにより、利便性の高い浴室１０を提供することができる。また、浴槽１１０の第１のリム１１１の下方の空間を利用して水栓装置を収納することができる。水栓装置は、シャワーヘッド３３０に水を供給したり、シャワーヘッド３３０に供給する水の給水量や温度を調整する水栓装置を収納することができる。なお、水栓装置については後に詳述する。
【００３６】
図４は、本実施形態のシャワーヘッドから吐水された水の軌跡の例を例示する斜視模式図である。  
図４に表した矢印Ａ１１のように、シャワーヘッド３３０は、シャワーヘッド３３０自身の軸Ｃ１１を中心軸として回動可能である。そのため、腰掛部２５０に腰掛けた使用者は、シャワーヘッド３３０を第１のシャワーフック３２０に保持させた状態で適宜回動させることで、例えば図４に表した矢印Ａ１５〜矢印Ａ１８のように腰掛部２５０の側へ水を吐水させることができる。なお、本願明細書において「水」という場合には、冷水のみならず、加熱されたお湯も含むものとする。
【００３７】
これによれば、使用者は、腰掛部２５０に腰掛けた状態でシャワー浴を楽しむことができる。また、使用者は、シャワーヘッド３３０を手で持つ必要はないため、楽な姿勢で比較的長時間シャワー浴を楽しむことができる。
【００３８】
次に、本実施形態の手摺３１０、第１のシャワーフック３２０、シャワーヘッド３３０、および第２のシャワーフック３４０について、図面を参照しつつさらに説明する。  
図５は、本実施形態にかかる浴室を斜め上方から眺めた斜視模式図である。  
また、図６および図７は、本実施形態にかかる浴室を表す断面模式図である。  
なお、図６および図７は、図５に表した切断面Ａ−Ａにおける断面模式図である。但し、シャワーヘッド３３０およびシャワーホース３３６は、断面模式図ではなく斜視模式図で表されている。説明の便宜上、図５〜図７に表した浴室１０では、第１の壁面４１０、第２の壁面４２０、および第３の壁面４３０を省略している。説明の便宜上、図５および図６に表した浴室１０では、シャワーヘッド３３０を省略している。説明の便宜上、図６および図７に表した浴室１０では、エプロン１５０を省略している。
【００３９】
図６および図７に表したように、本実施形態の手摺３１０は、中空部を内部に有する。つまり、手摺３１０は、中空管として形成されている。図７に表したように、手摺３１０の内部には、シャワーヘッド３３０に接続されたシャワーホース３３６が挿通されている。また、手摺３１０の内部には、オーバーヘッドシャワー３９０へ水を供給する図示しない給湯管が配管されてもよい。
【００４０】
図５および図６に表したように、手摺３１０の途中には、開口部３２１が設けられている。具体的には、開口部３２１は、第１のシャワーフック３２０の先端に設けられている。言い換えれば、開口部３２１は、手摺３１０が途中で横方向へ分岐された分岐部の先端に設けられている。但し、開口部３２１の設置形態は、これだけに限定されず、上下方向に延在している手摺３１０の部分の途中に設けられていてもよい。そして、後述するように、使用者は、シャワーヘッド３３０を第１のシャワーフック３２０から引き出し、シャワーホース３３６を開口部３２１から繰り出すことができる。
【００４１】
これによれば、シャワーホース３３６が開口部３２１から手摺３１０の内部へ挿通されているため、使用者は、シャワーホース３３６を洗い場２１０に垂らすことなく手摺３１０の内部に収めることができる。そのため、浴室１０の見栄えをより良くすることができる。また、シャワーホース３３６から滴る水が浴槽１１０の中に落ちることを抑えることができる。そのため、使用者は、快適に浴槽１１０に漬かることができる。  
なお、手摺３１０の下方には、シャワーホース３３６から滴る水を受けて排水可能な図示しない構造が設けられている。
【００４２】
図７に表したように、シャワーヘッド３３０の下端部３３１は、シャワーヘッド３３０の外形の太さＤ３（図２参照）よりも小さい太さを有する。また、シャワーヘッド３３０の下端部３３１の外形の太さは、第１のシャワーフック３２０の開口部３２１の開口幅よりも小さい。そのため、使用者は、第１のシャワーフック３２０の先端に設けられた開口部３２１にシャワーヘッド３３０の下端部３３１を挿入することで、シャワーヘッド３３０を第１のシャワーフック３２０に装着し保持させることができる。
【００４３】
これによれば、第１のシャワーフック３２０および手摺３１０の内部にシャワーホース３３６を完全に隠すことができるため、浴室１０のデザイン性を向上させることができる。また、手摺３１０が途中で横方向へ分岐された分岐部の先端に開口部３２１が設けられた場合には、使用者は、シャワーヘッド３３０を第１のシャワーフック３２０に容易に装着することができる。また、使用者が手を掛けることができるような形状を分岐部が有する場合には、手摺３１０の表面を加工しなくとも使用者の手が掛かる部位を手摺３１０に形成することができる。
【００４４】
図８および図９は、本実施形態にかかる浴室を表す断面模式図である。  
また、図１０は、シャワーホースが開口部から繰り出した状態を例示する斜視模式図である。  
なお、図８および図９は、図５に表した切断面Ａ−Ａにおける断面模式図である。但し、シャワーヘッド３３０およびシャワーホース３３６は、断面模式図ではなく斜視模式図で表されている。説明の便宜上、図８に表した浴室１０では、シャワーホース３３６の一部を省略している。説明の便宜上、図８および図９に表した浴室１０では、エプロン１５０を省略している。
【００４５】
図８および図９に表したように、第１のリム１１１の下方であってエプロン１５０の裏側には、水栓装置５２０が設けられている。図９に表したように、シャワーホース３３６の一端部（基端部）は、水栓装置５２０と接続されている。シャワーホース３３６の他端部は、シャワーヘッド３３０の下端部３３１と接続されている。そして、水栓装置５２０は、シャワーヘッド３３０に水を供給したり、シャワーホース３３６へ供給する水の給水量や温度を調整することができる。
【００４６】
図９に表したように、シャワーホース３３６は、水栓装置５２０と接続された一端部と、シャワーヘッド３３０と接続された他端部と、の間において余剰部分を有する。シャワーホース３３６の余剰部分は、エプロン１５０の裏側であって水栓装置５２０の下方に収納されている。つまり、本実施形態にかかる浴槽１１０では、シャワーホース３３６の余剰部分を収納する収納部１２０がエプロン１５０の裏側に形成されている。
【００４７】
これによれば、水栓装置５２０とシャワーヘッド３３０との間の距離をより短くし、シャワーホース３３６の長さをより短くすることができる。そのため、より早いうちにシャワーヘッド３３０から適温の湯を吐水させることができる。また、シャワーホース３３６をエプロン１５０の裏側に隠すことができるため、シャワーホース３３６が邪魔にならず、また浴室１０のデザイン性を向上させることができる。さらに、水栓装置５２０の点検者は、エプロン１５０を取り外すことで容易に水栓装置５２０の点検を行うことができる。
【００４８】
図９に表したように、シャワーホース３３６が余剰部分を有するため、使用者は、シャワーヘッド３３０を第１のシャワーフック３２０から引き出すことができる。すると、シャワーホース３３６は、第１のシャワーフック３２０の開口部３２１から繰り出される。そして、使用者は、第１のシャワーフック３２０から引き出したシャワーヘッド３３０を第２のシャワーフック３４０に装着し保持させることができる。
【００４９】
使用者は、第２のシャワーフック３４０が有するハンドルを回転させて緩めることで、第２のシャワーフック３４０の角度や位置などを調整することができる。具体的には、使用者は、手摺３１０の軸を中心軸として第２のシャワーフック３４０を左右方向に回転させることができる。あるいは、使用者は、手摺３１０の延在方向に沿って第２のシャワーフック３４０を上下方向に移動させることができる。あるいは、使用者は、シャワーヘッド３３０を第２のシャワーフック３４０が有するホルダに保持させたままで、第２のシャワーフック３４０の軸を中心軸としてホルダを前後方向に回転させることができる。
【００５０】
これによれば、使用者は、シャワーヘッド３３０を第１のシャワーフック３２０から引き出し第２のシャワーフック３４０に保持させることで、シャワーヘッド３３０を好みの位置に固定してシャワーを使用し快適に身体を洗うことができる。
【００５１】
図１１は、本実施形態の洗い場および浴槽の具体例を例示する斜視模式図である。  
また、図１２は、本実施形態にかかる浴室の具体例を例示する斜視模式図である。  
なお、図１１（ａ）は、洗い場と浴槽とを互いに分解した状態を例示する斜視模式図である。図１１（ｂ）は、洗い場と浴槽とを組み立てた状態を例示する斜視模式図である。
【００５２】
図１１（ａ）に表したように、本具体例では、洗い場２１０の周囲に、第１の床壁面２１１と、第２の床壁面２１２と、第３の床壁面２１３と、が設けられている。第１の床壁面２１１と、第２の床壁面２１２と、第３の床壁面２１３と、は、洗い場２１０と一体成形されている。第１の床壁面２１１と、第２の床壁面２１２と、第３の床壁面２１３と、の高さは、浴槽１１０のリム（第１のリム１１１、第２のリム１１２、第３のリム１１３）の高さと略同じである。図１１（ｂ）に表した矢印Ａ２１のように、浴槽１１０は、第１の床壁面２１１、第２の床壁面２１２、および第３の床壁面２１３の少なくともいずれか（本具体例では第３の床壁面２１３）に沿って設置される。
すなわち、本具体例では、図１に関して前述したように、第１の壁面４１０は、第１の床壁面２１１と、第１の床壁面２１１の上に立設された第１の浴室壁面４１１と、を有する。第２の壁面４２０は、第２の床壁面２１２と、第２の床壁面２１２の上に立設された第２の浴室壁面４２１と、を有する。
【００５３】
このように、浴槽１１０のリムと略同じ高さの床壁面が洗い場２１０の周囲に設置されていると、第１の浴室壁面４１１、第２の浴室壁面４２１、第３の壁面４３０、および天井４４０を従来工法で仕上げることができる。そして、第１の浴室壁面４１１、第２の浴室壁面４２１、第３の壁面４３０、および天井４４０を多様なデザインとすることができる。例えば図１２（ａ）に表したように、第２の浴室壁面４２１などをタイル張りの壁面に仕上げることができる。あるいは、例えば図１２（ｂ）に表したように、第１の浴室壁面４１１および第２の浴室壁面４２１などを木造の壁面に仕上げることができる。この場合、手摺３１０は、浴槽リムから上方へ立ち上がっているため、壁面に穴を開ける必要はない。
【００５４】
一般的なユニットバスの工法と比較すると、図１２（ａ）に表したように、第３の壁面４３０に窓４５０をより自由に設置したり、天井４４０の高さや形状をより自由に設定することができる。あるいは、図１２（ｂ）に表したように、第１の浴室壁面４１１および第２の浴室壁面４２１と、第３の壁面４３０と、を互いに異なる材料により仕上げることができる。
【００５５】
また、一般的な工法と比較すると、防水工事が不要であったり、階上設置や在来禁止のマンションなどにも使用できたり、工期が短いなどの効果を得ることができる。
【００５６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、手摺３１０、腰掛部２５０、および操作部５１０などが備える各要素の形状、寸法、材質、配置などや第１の壁面４１０、第２の壁面４２０、および第３の壁面４３０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５７】
１０ 浴室、  １１０ 浴槽、  １１１ 第１のリム、  １１２ 第２のリム、  １１３ 第３のリム、  １２０ 収納部、  １５０ エプロン、  ２１０ 洗い場、  ２１１ 第１の床壁面、  ２１２ 第２の床壁面、  ２１３ 第３の床壁面、  ２５０ 腰掛部、  ２５０ａ 端部、  ２６１ 第１の支柱、  ２６３ 第２の支柱、  ３１０ 手摺、  ３２０ 第１のシャワーフック、  ３２１ 開口部、  ３３０ シャワーヘッド、  ３３１ 下端部、  ３３６ シャワーホース、  ３４０ 第２のシャワーフック、  ３９０ オーバーヘッドシャワー、  ４１０ 第１の壁面、  ４１１ 第１の浴室浴槽、  ４２０ 第２の壁面、  ４２１ 第２の浴室浴槽、  ４３０ 第３の壁面、  ４４０ 天井、  ４５０ 窓、  ５１０ 操作部、  ５１１ 給水量調整操作部、  ５１３ 温度調整操作部、  ５２０ 水栓装置
【図１】
0005957959.tif 000002
【図２】
0005957959.tif 000003
【図３】
0005957959.tif 000004
【図４】
0005957959.tif 000005
【図５】
0005957959.tif 000006
【図６】
0005957959.tif 000007
【図７】
0005957959.tif 000008
【図８】
0005957959.tif 000009
【図９】
0005957959.tif 000010
【図１０】
0005957959.tif 000011
【図１１】
0005957959.tif 000012
【図１２】
0005957959.tif 000013